(57)【要約】【課題】ドライバーに対する点呼を管理すること。【解決手段】ドライバー装置１１０と、運送事業者によって管理される運送事業者装置１５０とを備え、ドライバー装置１１０は、ドライバーを識別するためのＩＤと、当該ドライバーの呼気中アルコールの検査結果を示すアルコール検査データとを含む点呼データを、インターフェースに接続されているデータ通信専用装置１９５によって、通信回線１７０を介して外部のコンピュータへ送信する点呼データ送信部を有し、運送事業者装置１５０は、ドライバー装置１１０から送信された点呼データを受信する点呼データ受信部と、点呼データ受信部が受信した点呼データに含まれているＩＤによって識別されるドライバーに関する情報と、アルコール検査データによって示される、当該ドライバーの呼気中アルコールの検査結果の情報とを含む点呼情報を、出力装置へ出力する点呼情報出力部とを有する。【選択図】図１
2012159959.tif 000002
【特許請求の範囲】
【請求項１】
ドライバーに対する点呼を管理する点呼管理システムであって、
各種周辺機器を接続するための複数のインターフェースを具備し、ドライバーによって携帯されるドライバー装置と、
ドライバーが所属している運送事業者によって管理される運送事業者装置と
を備え、
前記ドライバー装置は、
ドライバーを識別するためのＩＤと、当該ドライバーの呼気中アルコールの検査結果を示すアルコール検査データとを含む点呼データを、前記インターフェースに接続されているデータ通信専用装置によって、通信回線を介して外部のコンピュータへ送信する点呼データ送信部
を有し、
前記運送事業者装置は、
前記ドライバー装置から送信された点呼データを受信する点呼データ受信部と、
前記点呼データ受信部が受信した点呼データに含まれているＩＤによって識別されるドライバーに関する情報と、アルコール検査データによって示される、当該ドライバーの呼気中アルコールの検査結果の情報とを含む点呼情報を、出力装置へ出力する点呼情報出力部と
を有する点呼管理システム。
【請求項２】
前記ドライバー装置は、
前記インターフェースに接続されている呼気中アルコール検査装置から出力された、ドライバーの呼気中アルコールの検査結果を示すアルコール検査データの入力を受け付けるアルコール検査データ入力受付部
を更に有し、
前記点呼データ送信部は、前記アルコール検査データ入力受付部が入力を受け付けたアルコール検査データを含む点呼データを送信する
請求項１に記載の点呼管理システム。
【請求項３】
前記ドライバー装置は、
前記インターフェースに接続されている外部記憶装置に記憶されている、ドライバーを識別するためのＩＤを読み出すＩＤ読出部
を更に有し、
前記点呼データ送信部は、前記ＩＤ読出部が読み出したＩＤを含む点呼データを送信する
請求項１又は２に記載の点呼管理システム。
【請求項４】
前記運送事業者装置は、
ドライバーを識別するためのＩＤと、当該ＩＤによって識別されるドライバーに関する情報とを対応付けて格納するドライバー情報格納部
を更に有し、
前記点呼情報出力部は、前記ドライバー情報格納部に格納されているドライバーに関する情報のうち、前記点呼データ受信部が受信した点呼データに含まれているＩＤと対応付けて格納されているドライバーに関する情報を含む点呼情報を出力する
請求項１から３のいずれか一項に記載の点呼管理システム。
【請求項５】
前記ドライバー装置は、
前記インターフェースに接続されている認証用装置から出力された、ドライバーを認証するために用いられる認証用データの入力を受け付ける認証用データ入力受付部
を更に有し、
前記ドライバー装置の点呼データ送信部は、前記認証用データ入力受付部が入力を受け付けた認証用データを更に含む点呼データを送信し、
前記運送事業者装置の点呼情報出力部は、前記点呼データ受信部が受信した点呼データに含まれている認証用データに基づく、ドライバーを認証するための情報を更に含む点呼情報を出力する
請求項１から４のいずれか一項に記載の点呼管理システム。
【請求項６】
前記ドライバー装置は、
前記インターフェースに接続されている医療用装置から出力された、ドライバーの健康状態を示す健康状態データの入力を受け付ける健康状態データ入力受付部
を更に有し、
前記ドライバー装置の点呼データ送信部は、前記健康状態データ入力受付部が入力を受け付けた健康状態データを更に含む点呼データを送信し、
前記運送事業者装置の点呼情報出力部は、前記点呼データ受信部が受信した点呼データに含まれている健康状態データによって示される、ドライバーの健康状態の情報を更に含む点呼情報を出力する
請求項１から５のいずれか一項に記載の点呼管理システム。
【請求項７】
前記ドライバー装置は、
ドライバーが前記呼気中アルコール検査装置を用いて呼気中アルコールの検査を行ったタイミングを取得するタイミング取得部
を更に有し、
前記点呼データ送信部は、前記タイミング取得部が取得したタイミングを示すタイミングデータを更に含む点呼データを送信し、
前記運送事業者装置の点呼情報出力部は、前記点呼データ受信部が受信した点呼データに含まれるタイミングデータによって示される、ドライバーが前記呼気中アルコール検査装置を用いて呼気中アルコールの検査を行ったタイミングの情報を更に含む点呼情報を出力する
請求項１から６のいずれか一項に記載の点呼管理システム。
【請求項８】
前記ドライバー装置は、ドライバーが前記呼気中アルコール検査装置を用いて呼気中アルコールの検査を行うタイミングを指定して入力するためのスイッチを更に具備し、
前記タイミング取得部は、ドライバーが前記呼気中アルコール検査装置を用いて呼気中アルコールの検査を行うタイミングとして、前記スイッチの入力によって指定されたタイミングを取得する
請求項７に記載の点呼管理システム。
【請求項９】
前記ドライバー装置は、
点呼データを格納する点呼データ格納部
を更に有し、
前記点呼データ送信部は、前記外部のコンピュータへ点呼データを送信すると共に、当該点呼データを前記点呼データ格納部へ格納する
請求項１から８のいずれか一項に記載の点呼管理システム。
【請求項１０】
前記点呼データ送信部は、前記外部のコンピュータへ点呼データを送信することができなかった場合、所定時間が経過した後に、前記点呼データ格納部に格納されている点呼データを読み出して送信する
請求項９に記載の点呼管理システム。
【請求項１１】
複数の運送事業者に対して当該点呼管理システムのサービスを提供するサービス事業者によって管理されるサービス事業者装置
を更に備え、
前記ドライバー装置の点呼データ送信部は、点呼データを送信する送信先の外部のコンピュータとして、前記サービス事業者装置へ点呼データを送信し、
前記サービス事業者装置は、
前記ドライバー装置から送信された点呼データを受信する点呼データ受信部と、
当該サービス事業者装置の点呼データ受信部が受信した点呼データに含まれているＩＤによって識別されるドライバーが所属している運送事業者によって管理される運送事業者装置へ、当該サービス事業者装置の点呼データ受信部が受信した点呼データを転送する点呼データ転送部と
を有し、
前記運送事業者装置の点呼データ受信部は、前記ドライバー装置から送信されて、前記サービス事業者装置によって転送された点呼データを受信する
請求項１から１０のいずれか一項に記載の点呼管理システム。
【請求項１２】
各種周辺機器を接続するための複数のインターフェースを具備し、ドライバーによって携帯されるドライバー装置であって、
ドライバーを識別するためのＩＤと、当該ドライバーの呼気中アルコールの検査結果を示すアルコール検査データとを含む点呼データを、前記インターフェースに接続されているデータ通信専用装置によって、通信回線を介して外部のコンピュータへ送信する点呼データ送信部
を備えるドライバー装置。
【請求項１３】
ドライバーが所属している運送事業者によって管理される運送事業者装置であって、
各種周辺機器を接続するための複数のインターフェースを具備し、ドライバーによって携帯されるドライバー装置から送信された点呼データを受信する点呼データ受信部と、
前記点呼データ受信部が受信した点呼データに含まれているＩＤによって識別されるドライバーに関する情報と、アルコール検査データによって示される、当該ドライバーの呼気中アルコールの検査結果の情報とを含む点呼情報を、出力装置へ出力する点呼情報出力部と
を備える運送事業者装置。
【請求項１４】
ドライバーが所属している運送事業者によって管理される運送事業者装置用のプログラムであって、前記運送事業者装置を、
各種周辺機器を接続するための複数のインターフェースを具備し、ドライバーによって携帯されるドライバー装置から送信された点呼データを受信する点呼データ受信部、
前記点呼データ受信部が受信した点呼データに含まれているＩＤによって識別されるドライバーに関する情報と、アルコール検査データによって示される、当該ドライバーの呼気中アルコールの検査結果の情報とを含む点呼情報を、出力装置へ出力する点呼情報出力部
として機能させるプログラム。
【発明の詳細な説明】
【技術分野】
【０００１】
本発明は、点呼管理システム、ドライバー装置、運送事業者装置、及びプログラムに関する。特に本発明は、ドライバーに対する点呼を管理する点呼管理システム、各種周辺機器を接続するための複数のインターフェースを具備し、ドライバーによって携帯されるドライバー装置、ドライバーが所属している運送事業者によって管理される運送事業者装置、並びに当該運送事業者装置用のプログラムに関する。
【背景技術】
【０００２】
安全道路運送法は、管理者とドライバーが対面して乗務前の点呼を実施することを、運送事業者に義務付けている。実施内容は、ドライバーの健康状態、検知器を活用した飲酒の有無の確認の他、点呼記録の保管等、多岐にわたる。運行前に管理者がドライバーと対面し、健康状態や飲酒状況を確認する対面点呼においては、体内に残るアルコールを数値で知らせる呼気中アルコール検査装置等が導入されている。運送事業者は、これまでも飲酒運転の一掃による安全確保を徹底してきている。しかしながら、旧式の共用測定器によっては、数値が記録されない等、その精度と信頼性に不安があった。同時に、対面点呼は、２４時間体制の車両運行に対応して昼夜問わず行われ、管理側の負担も大きかった。
【０００３】
点呼を管理するための技術としては、呼気中アルコール検査装置を接続した携帯電話を各ドライバーに携帯させておいて、営業所のパソコンへテレビ電話を行いながら呼気中アルコールの検査させるシステムが知られている（例えば、非特許文献１参照。）。非特許文献１に記載のシステムにおいては、管理者は、運行前のドライバーの表情や顔色を対面のように確認しながら、表示される検査結果をチェックする。そして、管理者は、呼気中アルコールが検出された場合、乗務停止等の判断を素早く下すことができる。
【０００４】
より具体的に説明すると、非特許文献１に記載のシステムにおいては、呼気中アルコールが検出された場合、乗務停止等の判定文字がパソコン上に表示される。また、ドライバーから送信されるデータは、営業所のパソコンを経由して本社で一括管理される。このようにして、非特許文献１に記載のシステムによっては、法令が定める運行管理記録の保管義務への対応も容易となる。
【０００５】
ところで、公共の道路を利用する貨物自動車運送業は、車両の事故やたった一つの法令違反が即営業停止へと結び付く。非特許文献１に記載のシステムを導入している運送事業者は、飲酒検査を更に高精度化することができている。また、非特許文献１に記載のシステムを導入している運送業者においては、前日の飲酒を自主的に控える等、ドライバーの健康管理に関する意識が非常に高まっている。このように、非特許文献１に記載のシステムは、安全運転の推進に大きく貢献している。
【先行技術文献】
【非特許文献】
【０００６】
【非特許文献１】“ＦＯＭＡテレビ電話アルコールチェックシステム”、［ｏｎｌｉｎｅ］、株式会社エヌ・ティ・ティ・ドコモ、［平成２２年１２月１６日検索］、インターネット＜ＵＲＬ：ｈｔｔｐ：／／ｗｗｗ．ｄｏｃｏｍｏ．ｂｉｚ／ｈｔｍｌ／ｓｏｌｕｔｉｏｎ／ｍｓｃ／ａｌｃｏｈｏｌ／？ｓｅｒｖｉｃｅ＝ｒｎａｖｉ＞
【発明の概要】
【発明が解決しようとする課題】
【０００７】
しかしながら、非特許文献１に記載のシステムは、テレビ電話を利用しなければならない。したがって、非特許文献１に記載のシステムによっては、テレビ電話を利用するための高額の通信料が、運送事業者へのランニングコストの負担が大きくなってしまう。
【０００８】
また、非特許文献１に記載のシステムは、ドライバーと管理者とのテレビ電話が繋がっている状態において呼気中アルコールの検査をさせなければならない。したがって、非特許文献１に記載のシステムによっては、管理者が応答しなければ、点呼を実施することができない。即ち、非特許文献１に記載のシステムによっては、管理者がドライバーと通話中の場合、他のドライバーからテレビ電話を受信することができず、通話中のドライバーの点呼が終わるまで、他のドライバーを待たせてしまうことになる。
【０００９】
また、非特許文献１に記載のシステムは、システムの機能を実現するための専用のアプリケーションソフトを携帯電話にインストールしなければならない。したがって、非特許文献１に記載のシステムによっては、システムに対応し得る携帯電話の機種が限られてしまう。特に、近年の携帯電話は、新機種が発売されるまでの期間が短く、携帯電話内のＯＳ（Ｏｐｅｒａｔｉｎｇ  Ｓｙｓｔｅｍ）も多岐にわたる。そのため、非特許文献１に記載のシステムによっては、新機種の仕様やＯＳに対応するように、アプリケーションソフトをアップデートしなければならず、アプリケーションソフトを開発するソフトハウスへの負担が大きくなってしまう。
【課題を解決するための手段】
【００１０】
上記課題を解決するために、本発明の第１の形態によると、ドライバーに対する点呼を管理する点呼管理システムであって、各種周辺機器を接続するための複数のインターフェースを具備し、ドライバーによって携帯されるドライバー装置と、ドライバーが所属している運送事業者によって管理される運送事業者装置とを備え、ドライバー装置は、ドライバーを識別するためのＩＤと、当該ドライバーの呼気中アルコールの検査結果を示すアルコール検査データとを含む点呼データを、インターフェースに接続されているデータ通信専用装置によって、通信回線を介して外部のコンピュータへ送信する点呼データ送信部を有し、運送事業者装置は、ドライバー装置から送信された点呼データを受信する点呼データ受信部と、点呼データ受信部が受信した点呼データに含まれているＩＤによって識別されるドライバーに関する情報と、アルコール検査データによって示される、当該ドライバーの呼気中アルコールの検査結果の情報とを含む点呼情報を、出力装置へ出力する点呼情報出力部とを有する。
【００１１】
ドライバー装置は、インターフェースに接続されている呼気中アルコール検査装置から出力された、ドライバーの呼気中アルコールの検査結果を示すアルコール検査データの入力を受け付けるアルコール検査データ入力受付部を更に有し、点呼データ送信部は、アルコール検査データ入力受付部が入力を受け付けたアルコール検査データを含む点呼データを送信してよい。
【００１２】
ドライバー装置は、インターフェースに接続されている外部記憶装置に記憶されている、ドライバーを識別するためのＩＤを読み出すＩＤ読出部を更に有し、点呼データ送信部は、ＩＤ読出部が読み出したＩＤを含む点呼データを送信してよい。
【００１３】
運送事業者装置は、ドライバーを識別するためのＩＤと、当該ＩＤによって識別されるドライバーに関する情報とを対応付けて格納するドライバー情報格納部を更に有し、点呼情報出力部は、ドライバー情報格納部に格納されているドライバーに関する情報のうち、点呼データ受信部が受信した点呼データに含まれているＩＤと対応付けて格納されているドライバーに関する情報を含む点呼情報を出力してよい。
【００１４】
ドライバー装置は、インターフェースに接続されている認証用装置から出力された、ドライバーを認証するために用いられる認証用データの入力を受け付ける認証用データ入力受付部を更に有し、ドライバー装置の点呼データ送信部は、認証用データ入力受付部が入力を受け付けた認証用データを更に含む点呼データを送信し、運送事業者装置の点呼情報出力部は、点呼データ受信部が受信した点呼データに含まれている認証用データに基づく、ドライバーを認証するための情報を更に含む点呼情報を出力してよい。
【００１５】
ドライバー装置は、インターフェースに接続されている医療用装置から出力された、ドライバーの健康状態を示す健康状態データの入力を受け付ける健康状態データ入力受付部を更に有し、ドライバー装置の点呼データ送信部は、健康状態データ入力受付部が入力を受け付けた健康状態データを更に含む点呼データを送信し、運送事業者装置の点呼情報出力部は、点呼データ受信部が受信した点呼データに含まれている健康状態データによって示される、ドライバーの健康状態の情報を更に含む点呼情報を出力してよい。
【００１６】
ドライバー装置は、ドライバーが呼気中アルコール検査装置を用いて呼気中アルコールの検査を行うタイミングを取得するタイミング取得部を更に有し、点呼データ送信部は、タイミング取得部が取得したタイミングを示すタイミングデータを更に含む点呼データを送信し、運送事業者装置の点呼情報出力部は、点呼データ受信部が受信した点呼データに含まれるタイミングデータによって示される、ドライバーが呼気中アルコール検査装置を用いて呼気中アルコールの検査を行ったタイミングの情報を更に含む点呼情報を出力してよい。
【００１７】
ドライバー装置は、ドライバーが呼気中アルコール検査装置を用いて呼気中アルコールの検査を行うタイミングを指定して入力するためのスイッチを更に具備し、タイミング取得部は、ドライバーが呼気中アルコール検査装置を用いて呼気中アルコールの検査を行うタイミングとして、スイッチの入力によって指定されたタイミングを取得してよい。
【００１８】
ドライバー装置は、点呼データを格納する点呼データ格納部を更に有し、点呼データ送信部は、外部のコンピュータへ点呼データを送信すると共に、当該点呼データを点呼データ格納部へ格納してよい。
【００１９】
点呼データ送信部は、外部のコンピュータへ点呼データを送信することができなかった場合、点呼データ格納部に格納されている点呼データを読み出して送信してよい。
【００２０】
複数の運送事業者に対して当該点呼管理システムのサービスを提供するサービス事業者によって管理されるサービス事業者装置を更に備え、ドライバー装置の点呼データ送信部は、点呼データを送信する送信先の外部のコンピュータとして、サービス事業者装置へ点呼データを送信し、サービス事業者装置は、ドライバー装置から送信された点呼データを受信する点呼データ受信部と、当該サービス事業者装置の点呼データ受信部が受信した点呼データに含まれているＩＤによって識別されるドライバーが所属している運送事業者によって管理される運送事業者装置へ、当該サービス事業者装置の点呼データ受信部が受信した点呼データを転送する点呼データ転送部とを有し、運送事業者装置の点呼データ受信部は、ドライバー装置から送信されて、サービス事業者装置によって転送された点呼データを受信してよい。
【００２１】
本発明の第２の形態によると、各種周辺機器を接続するための複数のインターフェースを具備し、ドライバーによって携帯されるドライバー装置であって、ドライバーを識別するためのＩＤと、当該ドライバーの呼気中アルコールの検査結果を示すアルコール検査データとを含む点呼データを、インターフェースに接続されているデータ通信専用装置によって、通信回線を介して外部のコンピュータへ送信する点呼データ送信部を備える。
【００２２】
本発明の第３の形態によると、ドライバーが所属している運送事業者によって管理される運送事業者装置であって、各種周辺機器を接続するための複数のインターフェースを具備し、ドライバーによって携帯されるドライバー装置から送信された点呼データを受信する点呼データ受信部と、点呼データ受信部が受信した点呼データに含まれているＩＤによって識別されるドライバーに関する情報と、アルコール検査データによって示される、当該ドライバーの呼気中アルコールの検査結果の情報とを含む点呼情報を、出力装置へ出力する点呼情報出力部とを備える。
【００２３】
本発明の第４の形態によると、ドライバーが所属している運送事業者によって管理される運送事業者装置用のプログラムであって、運送事業者装置を、各種周辺機器を接続するための複数のインターフェースを具備し、ドライバーによって携帯されるドライバー装置から送信された点呼データを受信する点呼データ受信部、点呼データ受信部が受信した点呼データに含まれているＩＤによって識別されるドライバーに関する情報と、アルコール検査データによって示される、当該ドライバーの呼気中アルコールの検査結果の情報とを含む点呼情報を、出力装置へ出力する点呼情報出力部として機能させる。
【００２４】
なおまた、上記の発明の概要は、本発明の必要な特徴の全てを列挙したものではなく、これらの特徴群のサブコンビネーションもまた、発明となり得る。
【発明の効果】
【００２５】
以上の説明から明らかなように、この発明によれば、携帯電話を用いることなく、点呼を実施するために必要なデータのみを、データ通信専用装置を利用して送信するようにしたので、既知のシステムと比較して、運送事業者へのランニングコストの負担を小さくすることができる。
【００２６】
また、この発明によれば、携帯電話を用いることなく、点呼を実施するために必要なデータを一方的に送信するようにしたので、管理者が応答することができなくても、ドライバーを待たせることなく点呼を実施することができる。
【００２７】
また、この発明によれば、携帯電話よりも新機種が発売されるまでの期間が長いデータ通信専用装置を利用するため、ドライバー装置内のファームウェアをアップデートしなければならない頻度が低く、ドライバー装置内のファームウェアを開発するソフトハウスへの負担を小さくすることができる。
【図面の簡単な説明】
【００２８】
【図１】一実施形態に係る点呼管理システム１００の利用環境の一例を示す図である。
【図２】ドライバー装置１１０ａのブロック構成の一例を示す図である。
【図３】サービス事業者装置１３０のブロック構成の一例を示す図である。
【図４】運送事業者装置１５０ａのブロック構成の一例を示す図である。
【図５】ドライバー装置１１０の点呼データ格納部１１７に格納されるデータの一例をテーブル形式で示す図である。
【図６】サービス事業者装置１３０のアドレス格納部１３３に格納されているデータの一例をテーブル形式で示す図である。
【図７】運送事業者装置１５０のドライバー情報格納部１５３に格納されているデータの一例をテーブル形式で示す図である。
【図８】運送事業者装置１５０の点呼情報出力部１５２がディスプレイに出力する点呼情報１８０の一例を示す図である。
【図９】ドライバー装置１１０の動作フローの一例を示す図である。
【図１０】サービス事業者装置１３０の動作フローの一例を示す図である。
【図１１】運送事業者装置１５０の動作フローの一例を示す図である。
【図１２】ドライバー装置１１０を組み込みシステムで構成した場合のハードウェア構成の一例を示す図である。
【図１３】サービス事業者装置１３０、及び運送事業者装置１５０をコンピュータ等の電子情報処理装置でそれぞれ構成した場合のハードウェア構成の一例を示す図である。
【発明を実施するための形態】
【００２９】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００３０】
図１は、一実施形態に係る点呼管理システム１００の利用環境の一例を示す。点呼管理システム１００は、ドライバーに対する点呼を管理するシステムである。
【００３１】
点呼管理システム１００は、複数のドライバー装置１１０ａ、ｂ、ｃ、・・・（以下、ドライバー装置１１０と総称する。）、サービス事業者装置１３０、複数の運送事業者装置１５０ａ、ｂ、ｃ、・・・（以下、運送事業者装置１５０と総称する。）、及び通信回線１７０を備える。なおまた、通信回線１７０は、インターネット等のコンピュータネットワーク、通信事業者のコアネットワーク、及び種々のローカルネットワークを含む。
【００３２】
ドライバー装置１１０は、ドライバーによって携帯される装置である。ドライバー装置１１０は、各種周辺機器を接続するための複数のＵＳＢ（Ｕｎｉｖｅｒｓａｌ  Ｓｅｒｉａｌ  Ｂｕｓ）ポートを具備している。ＵＳＢポートは、ＵＳＢケーブルを差し込む接続口である。なおまた、ＵＳＢポートは、この発明における「インターフェース」の一例であってよい。
【００３３】
ドライバー装置１１０ａの各ＵＳＢポートには、呼気中アルコール検査装置１９１ａ、ＵＳＢメモリ１９２ａ、デジタルカメラ１９３ａ、血圧計１９４ａ、及びデータ通信専用装置１９５ａがＵＳＢケーブルによって電気的に接続されている。なおまた、ＵＳＢメモリ１９２ａは、この発明における「外部記憶装置」の一例であってよい。また、デジタルカメラ１９３ａは、この発明における「認証用装置」の一例であってよい。また、血圧計１９４ａは、この発明における「医療用装置」の一例であってよい。
【００３４】
なおまた、ドライバー装置１１０ａ以外のドライバー装置１１０ｂ、ｃ、・・・も、ドライバー装置１１０ａが有する構成要素と同じ構成要素を有する。以後の説明においては、ドライバー装置１１０が有する構成要素がいずれのドライバー装置１１０の構成要素であるかを区別する場合には、各構成要素を有するドライバー装置１１０と同じ添え字（ａ、ｂ、ｃ、・・・）を各構成要素の末尾に付して区別する。例えば、呼気中アルコール検査装置１９１ａ、呼気中アルコール検査装置１９１ｂ、及び呼気中アルコール検査装置１９１ｃは、それぞれドライバー装置１１０ａ、ドライバー装置１１０ｂ、及びドライバー装置１１０ｃの構成要素であることを示す。
【００３５】
また、以後の説明において、添え字が付されていない構成要素の機能及び動作は、同じ符号が付されたいずれの構成要素の機能及び動作を示す。例えば、呼気中アルコール検査装置１９１で説明された機能及び動作は、呼気中アルコール検査装置１９１ａ、呼気中アルコール検査装置１９１ｂ、呼気中アルコール検査装置１９１ｃ、・・・の機能及び動作を示す。
【００３６】
呼気中アルコール検査装置１９１は、ドライバーの呼気中アルコールを検査する装置である。呼気中アルコール検査装置１９１のセンシング方式は、化学反応方式、燃料電池方式、半導体方式、及び非拡散赤外線吸収方式に分類される。化学反応方式は、重クロム塩酸の還元反応を利用した色によるセンシング方式である。燃料電池方式は、呼気中のエタノールを燃料にして、エタノール中の水素イオンと電子に分離して電気を発生させることを利用した方式である。半導体方式は、高温に熱した酸化スズ上の空気中の酸素を還元性ガスによって取り去ることによって酸素が持っていた電子が自由電子になり、電気抵抗が変化することを利用した方式である。非拡散赤外線吸収方式は、全ての気体分子が固有に持っている赤外線吸収帯域の性質を利用した方式である。
【００３７】
ＵＳＢメモリ１９２は、フラッシュメモリを内蔵した持ち運び可能な記憶装置である。ＵＳＢメモリ１９２には、ドライバーを識別するためのドライバーＩＤ（ｉｄｅｎｔｉｆｉｅｒ）を格納しておく。そして、各ドライバーには、そのドライバーを識別するためのドライバーＩＤが格納されたＵＳＢメモリ１９２を配布しておく。なおまた、ドライバーＩＤは、この発明における「ＩＤ」の一例であってよい。
【００３８】
デジタルカメラ１９３は、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の光に反応する半導体素子を使って映像を電気信号に変換し、デジタルデータとして出力する装置である。
【００３９】
血圧計１９４は、血圧を測ることを目的とした装置である。データ通信専用装置１９５は、ドライバー装置１１０から出力されたデータを、サービス事業者装置１３０へ送信するための装置である。
【００４０】
ドライバー装置１１０は、データ通信専用装置１９５によって、通信回線１７０に対して無線通信接続されている。
【００４１】
また、ドライバー装置１１０は、２つのＬＥＤ（Ｌｉｇｈｔ  Ｅｍｉｔｔｉｎｇ  Ｄｉｏｄｅ）、及びスイッチを具備している。ＬＥＤは、電流を流すと発光する半導体素子の一種である。各ＬＥＤは、それぞれ赤色、緑色に発光する。スイッチは、ドライバーが呼気中アルコール検査装置１９１を用いて呼気中アルコールの検査を行うタイミングを指定するための操作手段である。具体的に説明すると、各ＬＥＤは、スイッチが切り替えられることによって、そのいずれかが点灯する。例えば、ドライバーは、運転の開始前の点呼時のタイミングに呼気中アルコールの検査を行う場合、スイッチを一方に切り替えて、赤色のＬＥＤを点灯させてから検査を開始する。また、ドライバーは、運転の終了後の点呼時のタイミングに呼気中アルコールの検査を行う場合、スイッチを他方に切り替えて、緑色のＬＥＤを点灯させてから検査を開始する。
【００４２】
サービス事業者装置１３０は、複数の運送事業者に対して点呼管理システム１００のサービスを提供するサービス事業者によって管理される装置である。サービス事業者装置１３０は、通信回線１７０に対して通信接続されている。
【００４３】
運送事業者装置１５０は、ドライバーが所属している運送事業者によって管理される装置である。運送事業者装置１５０は、ディスプレイを具備している。ディスプレイは、文字や図形を表示する装置である。また、運送事業者装置１５０は、通信回線１７０に対して通信接続されている。なおまた、ディスプレイは、この発明における「出力装置」の一例であってよい。
【００４４】
なおまた、本実施形態においては、説明が煩雑になることを防ぐことを目的として、点呼管理システム１００が一のサービス事業者装置１３０を備える構成について説明する。しかしながら、点呼管理システム１００は、複数のサービス事業者装置１３０を備えてよい。
【００４５】
図２は、ドライバー装置１１０ａのブロック構成の一例を示す。ドライバー装置１１０ａは、アルコール検査データ入力受付部１１１ａ、ＩＤ読出部１１２ａ、認証用データ入力受付部１１３ａ、健康状態データ入力受付部１１４ａ、タイミング取得部１１５ａ、点呼データ送信部１１６ａ、及び点呼データ格納部１１７ａを有する。以下、各構成要素の機能及び動作を説明する。
【００４６】
アルコール検査データ入力受付部１１１は、ＵＳＢポートに接続されている呼気中アルコール検査装置１９１から出力された、ドライバーの呼気中アルコールの検査結果を示すアルコール検査データの入力を受け付けると、そのアルコール検査データを、点呼データ送信部１１６へ送る。
【００４７】
ＩＤ読出部１１２は、ＵＳＢポートに接続されているＵＳＢメモリ１９２に記憶されている、ドライバーを識別するためのドライバーＩＤを読み出すと、そのドライバーＩＤを、点呼データ送信部１１６へ送る。
【００４８】
認証用データ入力受付部１１３は、ＵＳＢポートに接続されているデジタルカメラ１９３から出力された、ドライバーを撮像した静止画を示す撮像データの入力を受け付けると、その撮像データを、点呼データ送信部１１６へ送る。なおまた、ドライバーを撮像した静止画を示す撮像データは、この発明における「ドライバーを認証するために用いられる認証データ」の一例であってよい。
【００４９】
健康状態データ入力受付部１１４は、ＵＳＢポートに接続されている血圧計１９４から出力された、ドライバーの血圧を示す血圧データの入力を受け付けると、その血圧データを、点呼データ送信部１１６へ送る。なおまた、ドライバーの血圧を示す血圧データは、この発明における「ドライバーの健康状態を示す健康状態データ」の一例であってよい。
【００５０】
タイミング取得部１１５は、ドライバーが呼気中アルコール検査装置１９１を用いて呼気中アルコールの検査を行うタイミングを取得すると、そのタイミングを示すタイミングデータを、点呼データ送信部１１６へ送る。本実施形態においては、タイミング取得部１１５は、ドライバーが呼気中アルコール検査装置１９１を用いて呼気中アルコールの検査を行うタイミングとして、スイッチの入力によって指定されたタイミングを取得する。
【００５１】
点呼データ送信部１１６は、ドライバーを識別するためのドライバーＩＤと、そのドライバーの呼気中アルコールの検査結果を示すアルコール検査データとを含む点呼データを、ＵＳＢポートに接続されているデータ通信専用装置１９５によって、通信回線１７０を介してサービス事業者装置１３０へ送信する。より具体的に説明すると、点呼データ送信部１１６は、アルコール検査データ入力受付部１１１からアルコール検査データを受け取ると、そのアルコール検査データを含む点呼データを送信する。また、点呼データ送信部１１６は、ＩＤ読出部１１２からドライバーＩＤを受け取ると、そのドライバーＩＤを含む点呼データを送信する。また、点呼データ送信部１１６は、認証用データ入力受付部１１３から撮像データを受け取ると、その撮像データを更に含む点呼データを送信する。また、点呼データ送信部１１６は、健康状態データ入力受付部１１４から血圧データを受け取ると、その血圧データを更に含む点呼データを送信する。また、点呼データ送信部１１６は、タイミング取得部１１５からタイミングデータを受け取ると、そのタイミングデータを更に含む点呼データを送信する。また、点呼データ送信部１１６は、サービス事業者装置１３０へ点呼データを送信すると共に、その点呼データを点呼データ格納部１１７へ格納する。また、点呼データ送信部１１６は、サービス事業者装置１３０へ点呼データを送信することができなかった場合、所定時間が経過した後に、点呼データ格納部１１７に格納されている点呼データを読み出して送信する。
【００５２】
図３は、サービス事業者装置１３０のブロック構成の一例を示す。サービス事業者装置１３０は、点呼データ受信部１３１、点呼データ転送部１３２、及びアドレス格納部１３３を有する。以下、各構成要素の機能及び動作を説明する。
【００５３】
点呼データ受信部１３１は、ドライバー装置１１０から送信された点呼データを受信すると、その点呼データを、点呼データ転送部１３２へ送る。
【００５４】
点呼データ転送部１３２は、点呼データ受信部１３１から点呼データを受け取ると、その点呼データに含まれているドライバーＩＤによって識別されるドライバーが所属している運送事業者によって管理される運送事業者装置１５０へ、点呼データを転送する。より具体的に説明すると、点呼データ転送部１３２は、点呼データ受信部１３１から点呼データを受け取ると、アドレス格納部１３３に格納されている運送事業者装置１５０のＩＰ（Ｉｎｔｅｒｎｅｔ  Ｐｒｏｔｏｃｏｌ）アドレスのうち、点呼データに含まれているドライバーＩＤと対応付けて格納されている運送事業者装置１５０のＩＰアドレスを読み出す。そして、点呼データ転送部１３２は、その読み出したＩＰアドレスの運送事業者装置１５０へ点呼データを転送する。なおまた、ＩＰアドレスは、この発明における「アドレス」の一例であってよい。
【００５５】
図４は、運送事業者装置１５０ａのブロック構成の一例を示す。運送事業者装置１５０ａは、点呼データ受信部１５１ａ、点呼情報出力部１５２ａ、及びドライバー情報格納部１５３ａを有する。以下、各構成要素の機能及び動作を説明する。
【００５６】
なおまた、運送事業者装置１５０ａ以外の運送事業者装置１５０ｂ、ｃ、・・・も、運送事業者装置１５０ａが有する構成要素と同じ構成要素を有する。以後の説明においては、運送事業者装置１５０が有する構成要素がいずれの運送事業者装置１５０の構成要素であるかを区別する場合には、各構成要素を有する運送事業者装置１５０と同じ添え字（ａ、ｂ、ｃ、・・・）を各構成要素の末尾に付して区別する。例えば、点呼データ受信部１５１ａ、点呼データ受信部１５１ｂ、及び点呼データ受信部１５１ｃは、それぞれ運送事業者装置１５０ａ、運送事業者装置１５０ｂ、及び運送事業者装置１５０ｃの構成要素であることを示す。
【００５７】
また、以後の説明において、添え字が付されていない構成要素の機能及び動作は、同じ符号が付されたいずれの構成要素の機能及び動作を示す。例えば、点呼データ受信部１５１で説明された機能及び動作は、点呼データ受信部１５１ａ、ｂ、ｃ、・・・の機能及び動作を示す。
【００５８】
点呼データ受信部１５１は、ドライバー装置１１０から送信された点呼データを受信すると、その点呼データを、点呼情報出力部１５２へ送る。より具体的に説明すると、点呼データ受信部１５１は、ドライバー装置１１０から送信されて、サービス事業者装置１３０によって転送された点呼データを受信する。
【００５９】
点呼情報出力部１５２は、点呼データ受信部１５１から点呼データを受け取ると、その点呼データに含まれているドライバーＩＤによって識別されるドライバーの氏名と、アルコール検査データによって示される、ドライバーの呼気中アルコールの検査結果の情報とを含む点呼情報を、ディスプレイへ出力する。より具体的に説明すると、点呼情報出力部１５２は、点呼データ受信部１５１から点呼データを受け取ると、ドライバー情報格納部１５３に格納されているドライバーの氏名のうち、点呼データに含まれているドライバーＩＤと対応付けて格納されているドライバーの氏名を読み出す。そして、点呼情報出力部１５２は、その読み出したドライバーの氏名を含む点呼情報を出力する。また、点呼情報出力部１５２は、点呼データ受信部１５１から受け取った点呼データに撮像データが含まれている場合、その撮像データによって示される、ドライバーを撮像した静止画を更に含む点呼情報を出力する。また、点呼情報出力部１５２は、点呼データ受信部１５１から受け取った点呼データに血圧データが含まれている場合、その血圧データによって示される、ドライバーの血圧の情報を更に含む点呼情報を出力する。また、点呼情報出力部１５２は、点呼データ受信部１５１から受け取った点呼データにタイミングデータが含まれている場合、そのタイミングデータによって示される、ドライバーが呼気中アルコール検査装置を用いて呼気中アルコールの検査を行ったタイミングの情報を更に含む点呼情報を出力する。なおまた、ドライバーの氏名は、この発明における「ドライバーに関する情報」の一例であってよい。
【００６０】
図５は、ドライバー装置１１０の点呼データ格納部１１７に格納されるデータの一例をテーブル形式で示す。点呼データ格納部１１７には、ドライバーＩＤ、アルコール濃度（ｍｇ／ｌ）、撮像データ、最高血圧（ｍｍＨｇ）、最低血圧（ｍｍＨｇ）、及びタイミングが対応付けて格納される。
【００６１】
ドライバーＩＤは、各ドライバーを一意に識別するための識別符号である。アルコール濃度（ｍｇ／ｌ）は、ドライバーＩＤによって識別されるドライバーの呼気中アルコール濃度を示す数値である。撮像データは、ドライバーＩＤによって識別されるドライバーを撮像した静止画を示す撮像データである。最高血圧（ｍｍＨｇ）は、ドライバーＩＤによって識別されるドライバーの収縮期血圧を示す数値である。最低血圧（ｍｍＨｇ）は、ドライバーＩＤによって識別されるドライバーの拡張期血圧を示す数値である。タイミングは、ドライバーＩＤによって識別されるドライバーが呼気中アルコール検査装置１９１を用いて呼気中アルコールの検査を行ったタイミングを示す情報である。
【００６２】
図６は、サービス事業者装置１３０のアドレス格納部１３３に格納されているデータの一例をテーブル形式で示す。アドレス格納部１３３には、ドライバーＩＤ、及びＩＰアドレスが対応付けて格納されている。
【００６３】
ドライバーＩＤは、各ドライバーを一意に識別するための識別符号である。ＩＰアドレスは、ドライバーＩＤによって識別されるドライバーが所属している運送事業者によって管理される運送事業者装置１５０に割り振られた識別番号である。
【００６４】
図７は、運送事業者装置１５０のドライバー情報格納部１５３に格納されているデータの一例をテーブル形式で示す。ドライバー情報格納部１５３には、ドライバーＩＤ、及び氏名が対応付けて格納されている。
【００６５】
ドライバーＩＤは、各ドライバーを一意に識別するための識別符号である。氏名は、ドライバーＩＤによって識別されるドライバーの姓名である。
【００６６】
図８は、運送事業者装置１５０の点呼情報出力部１５２がディスプレイに出力する点呼情報１８０の一例を示す。点呼情報１８０には、受信日時１８１、社員番号１８２、氏名１８３、点呼タイミング１８４、呼気中アルコール濃度１８５、最高血圧１８６、最低血圧１８７、及び静止画１８８が含まれている。
【００６７】
受信日時１８１は、運送事業者装置１５０が点呼データを受信した日時を示す情報である。社員番号１８２は、ドライバー情報格納部１５３に格納されているドライバーの社員番号のうち、点呼データに含まれているドライバーＩＤと対応付けて格納されているドライバーの社員番号である。氏名１８３は、ドライバー情報格納部１５３に格納されているドライバーの氏名のうち、点呼データに含まれているドライバーＩＤと対応付けて格納されているドライバーの姓名である。点呼タイミング１８４は、点呼データに含まれているタイミングデータによって示される、ドライバーが呼気中アルコール検査装置を用いて呼気中アルコールの検査を行ったタイミングの情報である。呼気中アルコール濃度１８５は、点呼データに含まれているアルコール検査データによって示される、ドライバーの呼気中アルコールの検査結果の情報である。最高血圧１８６及び最低血圧１８７は、点呼データに含まれている血圧データによって示される、ドライバーの血圧の情報である。静止画１８８は、点呼データに含まれている撮像データによって示される、ドライバーを撮像した静止画である。
【００６８】
図９は、ドライバー装置１１０の動作フローの一例を示す。この動作フローの説明においては、図１から図８を共に参照する。
【００６９】
ドライバーは、点呼を実施するにあたり、呼気中アルコール検査装置１９１、ＵＳＢメモリ１９２、デジタルカメラ１９３、血圧計１９４、及びデータ通信専用装置１９５を、ドライバー装置１１０の各ＵＳＢポートにそれぞれ接続する。
【００７０】
そして、ドライバー装置１１０の電源が投入されると、ドライバー装置１１０のＩＤ読出部１１２は、ＵＳＢポートに接続されているＵＳＢメモリ１９２に記憶されている、ドライバーを識別するためのドライバーＩＤ（ｉｄｅｎｔｉｆｉｅｒ）を読み出す（Ｓ１０１）。そして、ＩＤ読出部１１２は、読み出したドライバーＩＤを、点呼データ送信部１１６へ送る。
【００７１】
そして、ドライバーは、ドライバー装置１１０の２つのＬＥＤの点灯又は消灯を確認しながら、ドライバー装置１１０のスイッチを切り替える。例えば、ドライバーは、運転の開始前の点呼時のタイミングに呼気中アルコールの検査を行う場合、スイッチを一方に切り替えて、赤色のＬＥＤを点灯させる。また、ドライバーは、運転の終了後の点呼時のタイミングに呼気中アルコールの検査を行う場合、スイッチを他方に切り替えて、緑色のＬＥＤを点灯させる。このようにして、スイッチが切り替えられると、ドライバー装置１１０のタイミング取得部１１５は、ドライバーが呼気中アルコール検査装置１９１を用いて呼気中アルコールの検査を行うタイミングとして、スイッチの入力によって指定されたタイミングを取得する（Ｓ１０２）。そして、タイミング取得部１１５は、取得したタイミングを示すタイミングデータを、点呼データ送信部１１６へ送る。
【００７２】
そして、ドライバーは、呼気中アルコール検査装置１９１を用いて呼気中アルコールの検査を開始する。その際、ドライバーは、呼気中アルコール検査装置１９１を用いて呼気中アルコールの検査を行っている自分の姿がデジタルカメラ１９３によって撮像されるように、デジタルカメラ１９３をセッティングする。このようにして、呼気中アルコールの検査が行われると、ドライバー装置１１０のアルコール検査データ入力受付部１１１は、ＵＳＢポートに接続されている呼気中アルコール検査装置１９１から出力された、ドライバーの呼気中アルコールの検査結果を示すアルコール検査データの入力を受け付ける（Ｓ１０３）。そして、アルコール検査データ入力受付部１１１は、入力を受け付けたアルコール検査データを、点呼データ送信部１１６へ送る。
【００７３】
そして、ドライバーは、血圧計１９４を用いて血圧の測定を開始する。その際、ドライバーは、血圧計１９４を用いて血圧を測定している自分の姿がデジタルカメラ１９３によって撮像されるように、デジタルカメラ１９３をセッティングする。このようにして、血圧の測定が行われると、ドライバー装置１１０の健康状態データ入力受付部１１４は、ＵＳＢポートに接続されている血圧計１９４から出力された、ドライバーの血圧を示す血圧データの入力を受け付ける（Ｓ１０４）。そして、健康状態データ入力受付部１１４は、入力を受け付けた血圧データを、点呼データ送信部１１６へ送る。
【００７４】
このようにして、呼気中アルコールや血圧を測定しているドライバーの姿は、デジタルカメラ１９３によって撮像される。そして、ドライバー装置１１０の認証用データ入力受付部１１３は、ＵＳＢポートに接続されているデジタルカメラ１９３から出力された、ドライバーを撮像した静止画を示す撮像データの入力を受け付ける（Ｓ１０５）。そして、認証用データ入力受付部１１３は、入力を受け付けた撮像データを、点呼データ送信部１１６へ送る。
【００７５】
そして、ドライバー装置１１０の点呼データ送信部１１６は、ＩＤ読出部１１２から受け取ったドライバーＩＤ、タイミング取得部１１５から受け取ったタイミングデータ、アルコール検査データ入力受付部１１１から受け取ったアルコール検査データ、健康状態データ入力受付部１１４から受け取った血圧データ、及び認証用データ入力受付部１１３から受け取った撮像データを含む点呼データを、点呼データ格納部１１７へ格納する（Ｓ１０７）。このようにして、点呼データ格納部１１７には、図５に示すようなデータが格納される。
【００７６】
そして、点呼データ送信部は、点呼データをサービス事業者装置１３０へ送信する（Ｓ１０８）。点呼データ送信部１１６は、サービス事業者装置１３０へ点呼データを送信することができなかった場合（Ｓ１０９：Ｎｏ）、所定時間が経過した後に（Ｓ１１０：Ｙｅｓ）、点呼データ格納部１１７に格納されている点呼データを読み出して送信する（Ｓ１１１→Ｓ１０８）。このようにして、ドライバー装置１１０は、サービス事業者装置１３０へ点呼データを送信する。
【００７７】
図１０は、サービス事業者装置１３０の動作フローの一例を示す。この動作フローの説明においては、図１から図９を共に参照する。
【００７８】
サービス事業者装置１３０の点呼データ受信部１３１は、ドライバー装置１１０から送信された点呼データを受信すると（Ｓ２０１）、その点呼データを、点呼データ転送部１３２へ送る。
【００７９】
そして、サービス事業者装置１３０の点呼データ転送部１３２は、点呼データ受信部１３１から点呼データを受け取ると、図６に示すようなアドレス格納部１３３に格納されている運送事業者装置１５０のＩＰ（Ｉｎｔｅｒｎｅｔ  Ｐｒｏｔｏｃｏｌ）アドレスのうち、点呼データに含まれているドライバーＩＤと対応付けて格納されている運送事業者装置１５０のＩＰアドレスを読み出す。そして、点呼データ転送部１３２は、その読み出したＩＰアドレスの運送事業者装置１５０へ点呼データを転送する（Ｓ２０２）。
【００８０】
このようにして、サービス事業者装置１３０は、ドライバー装置１１０から受信した点呼データを運送事業者装置１５０へ転送する。
【００８１】
図１１は、運送事業者装置１５０の動作フローの一例を示す。この動作フローの説明においては、図１から図１０を共に参照する。
【００８２】
運送事業者装置１５０の点呼データ受信部１５１は、ドライバー装置１１０から送信されて、サービス事業者装置１３０によって転送された点呼データを受信すると（Ｓ３０１）、その点呼データを、点呼情報出力部１５２へ送る。
【００８３】
そして、運送事業者装置１５０の点呼情報出力部１５２は、点呼データ受信部１５１から点呼データを受け取ると、図７に示すようなドライバー情報格納部１５３に格納されているドライバーの社員番号と氏名のうち、点呼データに含まれているドライバーＩＤと対応付けて格納されているドライバーの社員番号と氏名を読み出す。そして、点呼情報出力部１５２は、その読み出したドライバーの社員番号１８２と氏名１８３を含む、図８に示すような点呼情報１８０を、ディスプレイに出力する（Ｓ３０２）。その際、点呼情報出力部１５２は、点呼データに含まれているタイミングデータによって示される、ドライバーが呼気中アルコール検査装置を用いて呼気中アルコールの検査を行ったタイミングの情報１８４を更に含む点呼情報１８０を出力する。また、点呼情報出力部１５２は、その点呼データに含まれているアルコール検査データによって示される、ドライバーの呼気中アルコールの検査結果の情報１８５を更に含む点呼情報１８０を出力する。また、点呼情報出力部１５２は、点呼データに含まれている血圧データによって示される、ドライバーの血圧の情報１８６、１８７を更に含む点呼情報１８０を出力する。また、点呼情報出力部１５２は、点呼データに含まれている撮像データによって示される、ドライバーを撮像した静止画１８８を更に含む点呼情報１８０を出力する。
【００８４】
このようにして、運送事業者装置１５０は、図８に示すような点呼情報をディスプレイに出力する。
【００８５】
以上説明したように、ドライバー装置１１０は、ドライバーを識別するためのドライバーＩＤと、そのドライバーの呼気中アルコールの検査結果を示すアルコール検査データとを含む点呼データを、ＵＳＢポートに接続されているデータ通信専用装置１９５によって、通信回線１７０を介して外部のコンピュータへ送信するようにした。そして、運送事業者装置１５０は、ドライバー装置１１０から送信された点呼データを受信して、その点呼データに含まれているドライバーＩＤによって識別されるドライバーに関する情報と、アルコール検査データによって示される、ドライバーの呼気中アルコールの検査結果の情報とを含む点呼情報を、ディスプレイへ出力するようにした。
【００８６】
このように、点呼管理システム１００においては、携帯電話を用いることなく、点呼を実施するために必要なデータのみを、データ通信専用装置１９５を利用して送信するようにしたので、既知のシステムと比較して、運送事業者へのランニングコストの負担を小さくすることができる。
【００８７】
また、点呼管理システム１００においては、携帯電話を用いることなく、点呼を実施するために必要なデータを一方的に送信するようにしたので、管理者が応答することができなくても、ドライバーを待たせることなく点呼を実施することができる。
【００８８】
また、点呼管理システム１００においては、携帯電話よりも新機種が発売されるまでの期間が長いデータ通信専用装置１９５を利用するため、ドライバー装置１１０内のファームウェアをアップデートしなければならない頻度が低く、ドライバー装置１１０内のファームウェアを開発するソフトハウスへの負担を小さくすることができる。
【００８９】
また、上述したように、ドライバー装置１１０は、ＵＳＢポートに接続されている呼気中アルコール検査装置１９１から出力された、ドライバーの呼気中アルコールの検査結果を示すアルコール検査データの入力を受け付けて、そのアルコール検査データを含む点呼データを送信するようにした。
【００９０】
このように、点呼管理システム１００においては、呼気中アルコール検査装置１９１をドライバー装置１１０に接続して、その呼気中アルコール検査装置１９１によって検査されたアルコール検査データの入力を受け付けるようにしたので、運送事業者が既に利用している呼気中アルコール検査装置１９１を流用することができる。
【００９１】
また、上述したように、ドライバー装置１１０は、ＵＳＢポートに接続されているＵＳＢメモリ１９２に記憶されている、ドライバーを識別するためのドライバーＩＤを読み出して、そのドライバーＩＤを含む点呼データを送信するようにした。
【００９２】
このように、点呼管理システム１００においては、ドライバーＩＤをＵＳＢメモリ１９２に格納しておいて、そのドライバーＩＤを読み出すようにして、ドライバー装置１１０自体にはドライバーを識別するためのＩＤを記憶させないようにしたので、ドライバー装置１１０を複数のドライバーによって使い回すことができる。
【００９３】
また、上述したように、運送事業者装置１５０は、ドライバーを識別するためのドライバーＩＤと、そのドライバーＩＤによって識別されるドライバーに関する情報とを対応付けて格納しておき、その格納しているドライバーに関する情報のうち、受信した点呼データに含まれているドライバーＩＤと対応付けて格納されているドライバーに関する情報を含む点呼情報を出力するようにした。
【００９４】
このように、点呼管理システム１００においては、ドライバーに関する個人情報を運送事業者装置１５０だけで管理するようにしたので、セキュリティの高いシステムを実現することができる。
【００９５】
また、上述したように、ドライバー装置１１０は、ＵＳＢポートに接続されているデジタルカメラ１９３から出力された、ドライバーを撮像した静止画を示す撮像データの入力を受け付けて、その撮像データを更に含む点呼データを送信するようにした。そして、運送事業者装置１５０は、受信した点呼データに含まれている撮像データによって示される、ドライバーを撮像した静止画を更に含む点呼情報を出力するようにした。
【００９６】
このように、点呼管理システム１００においては、ドライバーを撮像した静止画を示す撮像データを点呼データに含めるようにしたので、ドライバーが呼気中アルコールの検査を行っている様子を撮像するようにすれば、検査のなりすまし等を防止するができる。
【００９７】
また、上述したように、ドライバー装置１１０は、ＵＳＢポートに接続されている血圧計１９４から出力された、ドライバーの血圧を示す血圧データの入力を受け付けて、その血圧データを更に含む点呼データを送信するようにした。そして、運送事業者装置１５０は、受信した点呼データに含まれている血圧データによって示される、ドライバーの血圧の情報を更に含む点呼情報を出力するようにした。
【００９８】
このように、点呼管理システム１００においては、ドライバーの血圧を示す血圧データを点呼データに含めるようにしたので、ドライバーの健康状態をも管理することができる。
【００９９】
また、上述したように、ドライバー装置１１０は、ドライバーが呼気中アルコール検査装置１９１を用いて呼気中アルコールの検査を行ったタイミングを取得して、そのタイミングを示すタイミングデータを更に含む点呼データを送信するようにした。そして、運送事業者装置１５０は、受信した点呼データに含まれるタイミングデータによって示される、ドライバーが呼気中アルコール検査装置１９１を用いて呼気中アルコールの検査を行ったタイミングの情報を更に含む点呼情報を出力するようにした。
【０１００】
このように、点呼管理システム１００においては、ドライバーが呼気中アルコール検査装置１９１を用いて呼気中アルコールの検査を行ったタイミングを示すタイミングデータを点呼データに含めるようにしたので、点呼データの受信時に管理者が不在であっても、ドライバーが呼気中アルコールの検査を行ったタイミングを正確に管理することができる。
【０１０１】
また、上述したように、ドライバー装置１１０は、ドライバーが呼気中アルコール検査装置１９１を用いて呼気中アルコールの検査を行うタイミングとして、スイッチの入力によって指定されたタイミングを取得するようにした。
【０１０２】
このように、点呼管理システム１００においては、スイッチを切り替えるだけの簡単な操作によって、呼気中アルコール検査装置１９１を用いて呼気中アルコールの検査を行うタイミングを指定して入力することができる。
【０１０３】
また、上述したように、ドライバー装置１１０は、外部のコンピュータへ点呼データを送信すると共に、点呼データを格納するようにした。
【０１０４】
このように、点呼管理システム１００においては、点呼データをバックアップするようにしたので、ドライバーが点呼時に検査したデータ等を喪失しないようにすることができる。
【０１０５】
また、上述したように、ドライバー装置１１０は、外部のコンピュータへ点呼データを送信することができなかった場合、所定時間が経過した後に、格納した点呼データを読み出して送信するようにした。
【０１０６】
このように、点呼管理システム１００においては、外部のコンピュータへ点呼データを送信することができなかった場合、点呼データをバックアップしておいて、時間が経過してから送信するようにしたので、ドライバーの手を煩わせることなく、点呼データを確実に外部のコンピュータへ送信することができる。
【０１０７】
また、上述したように、ドライバー装置１１０は、点呼データを送信する送信先の外部のコンピュータとして、サービス事業者装置１３０へ点呼データを送信するようにした。そして、サービス事業者装置１３０は、ドライバー装置１１０から送信された点呼データを受信して、その点呼データに含まれているドライバーＩＤによって識別されるドライバーが所属している運送事業者によって管理される運送事業者装置１５０へ、点呼データを転送するようにした。そして、運送事業者装置１５０は、ドライバー装置１１０から送信されて、サービス事業者装置１３０によって転送された点呼データを受信するようにした。
【０１０８】
このように、点呼管理システム１００においては、ドライバー装置１１０から送信されたデータを、サービス事業者装置１３０を介して、各ドライバーが所属している運送事業者によって管理される運送事業者装置１５０へ転送するようにしたので、運送事業者に代わってサービス事業者がシステムを管理することになり、運送事業者に対してシステムの導入の敷居を低くすることができる。
【０１０９】
なおまた、本実施形態においては、タイミング取得部１１５は、ドライバーが呼気中アルコール検査装置１９１を用いて呼気中アルコールの検査を行うタイミングとして、スイッチの入力によって指定されたタイミングを取得するようにしたが、ドライバー装置１１０にリアルタイムクロックを具備し、タイミング取得部１１５は、ドライバーが呼気中アルコール検査装置１９１を用いて呼気中アルコールの検査を行うタイミングとして、リアルタイムクロックから日時を取得するようにしてもよい。このような構成の点呼管理システムによっては、ドライバーが意識させることなく、呼気中アルコールの検査を行うタイミングを取得することができる。
【０１１０】
また、本実施形態においては、サービス事業者装置１３０を備えるシステムとして、ドライバー装置１１０は、サービス事業者装置１３０を介して運送事業者装置１５０へ点呼データを送信するようにしたが、サービス事業者１３０を備えないシステムとして、ドライバー装置１１０は、運送事業者装置１５０へ点呼データを直接送信するようにしてもよい。このような構成の点呼管理システムによっては、運送事業者独自にカスタマイズしたシステムを容易に提供することができる。
【０１１１】
また、本実施形態においては、デジタルカメラ１９３によって撮像された静止画によってドライバーを認証するようにしたが、ＩＣ（Ｉｎｔｅｇｒａｔｅｄ  Ｃｉｒｃｕｉｔ）カード免許証のＩＣに記録されている情報を、認証用データとして読み出すようにしてもよい。その場合、ドライバー装置１１０のＵＳＢポートには、ＩＣカード免許証のＩＣからデータを読み出すための非接触式のカードリーダーが認証用装置として接続されることになる。このような構成の点呼管理システムによっては、将来的に標準化されるであろうＩＣカード免許証からデータを読み出すことによって、より信頼性の高いシステムとなり得る。
【０１１２】
同様に、本実施形態においては、デジタルカメラ１９３によって撮像された静止画によってドライバーを認証するようにしたが、ドライバーの指紋や眼球の虹彩、声紋等の身体的特徴を示す生体認証データを、認証用データとしてもよい。その場合、ドライバー装置１１０のＵＳＢポートには、目的とする身体的特徴を得るための身体認証用装置が接続されることになる。生体認証は、暗証番号やパスワード等に比べ、原理的に極めてなりすまし難い認証方式である。生体認証としては、対象者の顔を認識する技術や、ペンでサインする際の筆圧や速度等の運動力学的特徴を利用する技術等も考えられる。このような構成の点呼管理システムによっては、ドライバーの本人確認を高いレベルで実施することができる。
【０１１３】
また、本実施形態においては、ドライバーの血圧によって健康状態を確認するようにしたが、ドライバーの体温を、健康状態データとしてもよい。その場合、ドライバー装置１１０のＵＳＢポートには、ドライバーの体温を計測するための体温計が接続されることになる。このような構成の点呼管理システムによっては、血圧測定と併用することによって、ドライバーの健康状態を、より正確に管理することができる。
【０１１４】
また、本実施形態においては、各種周辺機器を接続するためのインターフェースとしてＵＳＢポートを設けるようにしたが、Ｂｌｕｅｔｏｏｔｈインターフェースを設けて、Ｂｌｕｅｔｏｏｔｈ対応の周辺機器をＢｌｕｅｔｏｏｔｈによって接続するようにしてもよい。このような構成の点呼管理システムによっては、ケーブルを使わずに各種周辺機器を接続してデータをやり取りすることができる。
【０１１５】
図１２は、ドライバー装置１１０を組み込みシステムで構成した場合のハードウェア構成の一例を示す。ドライバー装置１１０は、ＣＰＵＣｅｎｔｒａｌ  Ｐｒｏｃｅｓｓｉｎｇ  Ｕｎｉｔ）７０１、メインメモリ７０２、不揮発メモリ７０３、Ｉ／Ｏ（Ｉｎｐｕｔ／Ｏｕｔｐｕｔ）ポート７０４、及び電源回路７０５を備える。
【０１１６】
ＣＰＵ７０１は、ドライバー装置１１０を構成する部品の一つで、各装置の制御やデータの計算、加工を行う装置である。具体的に説明すると、ＣＰＵ７０１は、不揮発メモリ７０３に記憶されたプログラムを実行する装置で、呼気中アルコール検査装置１９１、ＵＳＢメモリ１９２、デジタルカメラ１９３、血圧計１９４、データ通信専用装置１９５、スイッチからデータを受け取り、演算、加工した上で、データ通信専用装置１９５や不揮発メモリ７０３に出力する。ＣＰＵ７０１には、１回の命令で同時に処理できるデータの量によって８ビット、１６ビット、３２ビット等の種類があり、値が大きいものほど性能が高い。また、ＣＰＵ７０１には、同じビット数でも、１秒間に実行できる命令の回数やバスト呼ばれる周辺装置とのデータ伝送路が一度に運べるデータの量等に違いがあり、これらの値が大きいものほど性能が高い。厳密には、１命令を行うのにかかるクロック数や同時に実行できる命令数等の違いにも影響される。
【０１１７】
メインメモリ７０２は、ドライバー装置１１０内においてデータやプログラムを記憶する装置である。メインメモリ７０２は、半導体素子を利用して電気的に記録を行うため、動作が高速で、ＣＰＵから直接読み書きすることができる。
【０１１８】
不揮発メモリ７０３は、電源を切っても記憶内容を保存することができるメモリである。不揮発メモリ７０３としては、ＲＯＭ（Ｒｅａｄ  Ｏｎｌｙ  Ｍｅｍｏｒｙ）やフラッシュメモリ、強誘電体メモリ、磁気抵抗メモリ等がこれにあたる。
【０１１９】
Ｉ／Ｏポート７０４は、ドライバー装置１１０内部において、ＣＰＵ７０１が周辺機器にデータを送受信するために使う窓口である。それぞれのＩ／Ｏポートは、固有のＩ／Ｏポートアドレスを持ち、識別されている。
【０１２０】
電源回路７０５は、電源からの電力を供給するための回路である。
【０１２１】
ＣＰＵ７０１が実行するプログラムは、不揮発メモリ７０３にインストールされ、メインメモリ７０２に読み出されてＣＰＵ７０１により実行される。ＣＰＵ７０１により実行されるプログラムは、ドライバー装置１１０を、図１から図１１に関連して説明したアルコール検査データ入力受付部１１１、ＩＤ読出部１１２、認証用データ入力受付部１１３、健康状態データ入力受付部１１４、タイミング取得部１１５、点呼データ送信部１１６、及び点呼データ格納部１１７として機能させる。
【０１２２】
図１３は、サービス事業者装置１３０、及び運送事業者装置１５０をコンピュータ等の電子情報処理装置でそれぞれ構成した場合のハードウェア構成の一例を示す。サービス事業者装置１３０、及び運送事業者装置１５０は、ＣＰＵ（Ｃｅｎｔｒａｌ  Ｐｒｏｃｅｓｓｉｎｇ  Ｕｎｉｔ）周辺部と、入出力部と、レガシー入出力部とを備える。ＣＰＵ周辺部は、ホスト・コントローラ８０１により相互に接続されるＣＰＵ８０２、ＲＡＭ（Ｒａｎｄｏｍ  Ａｃｃｅｓｓ  Ｍｅｍｏｒｙ）８０３、グラフィック・コントローラ８０４、及び表示装置８０５を有する。入出力部は、入出力コントローラ８０６によりホスト・コントローラ８０１に接続される通信インターフェース８０７、ハードディスクドライブ８０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する。レガシー入出力部は、入出力コントローラ８０６に接続されるＲＯＭ（Ｒｅａｄ  Ｏｎｌｙ  Ｍｅｍｏｒｙ）８１０、フレキシブルディスク・ドライブ８１１、及び入出力チップ８１２を有する。
【０１２３】
ホスト・コントローラ８０１は、ＲＡＭ８０３と、高い転送レートでＲＡＭ８０３をアクセスするＣＰＵ８０２、及びグラフィック・コントローラ８０４とを接続する。ＣＰＵ８０２は、ＲＯＭ８１０、及びＲＡＭ８０３に格納されたプログラムに基づいて動作して、各部の制御をする。グラフィック・コントローラ８０４は、ＣＰＵ８０２等がＲＡＭ８０３内に設けたフレーム・バッファ上に生成する画像データを取得して、表示装置８０５上に表示させる。これに代えて、グラフィック・コントローラ８０４は、ＣＰＵ８０２等が生成する画像データを格納するフレーム・バッファを、内部に含んでもよい。
【０１２４】
入出力コントローラ８０６は、ホスト・コントローラ８０１と、比較的高速な入出力装置であるハードディスクドライブ８０８、通信インターフェース８０７、ＣＤ−ＲＯＭドライブ８０９を接続する。ハードディスクドライブ８０８は、ＣＰＵ８０２が使用するプログラム、及びデータを格納する。通信インターフェース８０７は、ネットワーク通信装置８９１に接続してプログラム又はデータを送受信する。ＣＤ−ＲＯＭドライブ８０９は、ＣＤ−ＲＯＭ８９２からプログラム又はデータを読み取り、ＲＡＭ８０３を介してハードディスクドライブ８０８、及び通信インターフェース８０７に提供する。
入出力コントローラ８０６には、ＲＯＭ８１０と、フレキシブルディスク・ドライブ８１１、及び入出力チップ８１２の比較的低速な入出力装置とが接続される。ＲＯＭ８１０は、サービス事業者装置１３０、及び運送事業者装置１５０が起動時に実行するブート・プログラム、あるいはサービス事業者装置１３０、及び運送事業者装置１５０のハードウェアに依存するプログラム等を格納する。フレキシブルディスク・ドライブ８１１は、フレキシブルディスク８９３からプログラム又はデータを読み取り、ＲＡＭ８０３を介してハードディスクドライブ８０８、及び通信インターフェース８０７に提供する。入出力チップ８１２は、フレキシブルディスク・ドライブ８１１、あるいはパラレル・ポート、シリアル・ポート、キーボード・ポート、マウス・ポート等を介して各種の入出力装置を接続する。
【０１２５】
ＣＰＵ８０２が実行するプログラムは、フレキシブルディスク８９３、ＣＤ−ＲＯＭ８９２、又はＩＣ（Ｉｎｔｅｇｒａｔｅｄ  Ｃｉｒｃｕｉｔ）カード等の記録媒体に格納されて利用者によって提供される。記録媒体に格納されたプログラムは圧縮されていても非圧縮であってもよい。プログラムは、記録媒体からハードディスクドライブ８０８にインストールされ、ＲＡＭ８０３に読み出されてＣＰＵ８０２により実行される。ＣＰＵ８０２により実行されるプログラムは、サービス事業者装置１３０を、図１から図１２に関連して説明した点呼データ受信部１３１、点呼データ転送部１３２、及びアドレス格納部１３３として機能させ、運送事業者装置１５０を、図１から図１２に関連して説明した点呼データ受信部１５１、点呼情報出力部１５２、及びドライバー情報格納部１５３として機能させる。
【０１２６】
以上に示したプログラムは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）又はＰＤ（Ｐｈａｓｅ  Ｄｉｓｋ）等の光学記録媒体、ＭＤ（ＭｉｎｉＤｉｓｋ）等の光磁気記録媒体、テープ媒体、ＩＣカード等の半導体メモリ等を用いることができる。また、専用通信ネットワークあるいはインターネットに接続されたサーバシステムに設けたハードディスク又はＲＡＭ等の記憶媒体を記録媒体として使用して、ネットワークを介したプログラムとして提供してもよい。
【０１２７】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【０１２８】
１００  点呼管理システム
１１０  ドライバー装置
１１１  アルコール検査データ入力受付部
１１２  ＩＤ読出部
１１３  認証用データ入力受付部
１１４  健康状態データ入力受付部
１１５  タイミング取得部
１１６  点呼データ送信部
１１７  点呼データ格納部
１３０  サービス事業者装置
１３１  点呼データ受信部
１３２  点呼データ転送部
１３３  アドレス格納部
１５０  運送事業者装置
１５１  点呼データ受信部
１５２  点呼情報出力部
１５３  ドライバー情報格納部
１７０  通信回線
１８０  点呼情報
１８１  受信日時
１８２  社員番号
１８３  氏名
１８４  点呼タイミング
１８５  呼気中アルコール濃度
１８６  最高血圧
１８７  最低血圧
１８８  静止画
１９１  呼気中アルコール検査装置
１９２  ＵＳＢメモリ
１９３  デジタルカメラ
１９４  血圧計
１９５  データ通信専用装置
８０１  ホスト・コントローラ
８０２  ＣＰＵ
８０３  ＲＡＭ
８０４  グラフィック・コントローラ
８０５  表示装置
８０６  入出力コントローラ
８０７  通信インターフェース
８０８  ハードディスクドライブ
８０９  ＣＤ−ＲＯＭドライブ
８１０  ＲＯＭ
８１１  フレキシブルディスク・ドライブ
８１２  入出力チップ
８９１  ネットワーク通信装置
８９２  ＣＤ−ＲＯＭ
８９３  フレキシブルディスク
【図１】
2012159959.tif 000003
【図２】
2012159959.tif 000004
【図３】
2012159959.tif 000005
【図４】
2012159959.tif 000006
【図５】
2012159959.tif 000007
【図６】
2012159959.tif 000008
【図７】
2012159959.tif 000009
【図８】
2012159959.tif 000010
【図９】
2012159959.tif 000011
【図１０】
2012159959.tif 000012
【図１１】
2012159959.tif 000013
【図１２】
2012159959.tif 000014
【図１３】
2012159959.tif 000015